(57)【要約】【課題】人体センサ部が発光部から放射される熱線の影響を受けにくく、発光部からの光が配光される配光エリアに対して適切な人体センサ部の検知エリアを確保でき、施工性がよく且つコスト上昇を抑制できる照明装置を提供する。【解決手段】照明装置は、床面から離れた位置に設置された人体センサ部２１６の床面上における検知エリアが、発光部２１３の配光エリアの全体を含むように、人体センサ部２１６が有する焦電型センサ素子（センサ素子）の受光面の中心を通る回路基板２１１の一表面を含む平面の法線Ｌ１と前記焦電型センサ素子の受光面の中心と床面上における検知エリアの外周とを結ぶ第１の直線Ｌ２とのなす検知角度αが、発光部２１３の光軸Ｌ３と当該発光部２１３から放射され且つ放射光量が放射光量の最大値の半分となる光の放射方向に延長された第２の直線Ｌ４とのなす角度である半値角βよりも大きく設定されている。【選択図】図１
2011009082.tif 000002
【特許請求の範囲】
【請求項１】
人体から放射される熱線を検知するセンサ素子が熱線の変化を検知すると人体検知信号を出力する人体センサ部と、複数の固体発光素子を有する複数の発光部と、人体センサ部から出力される人体検知信号に基づいて全ての発光部が有する固体発光素子を点灯させる制御部と、人体センサ部および発光部が実装される回路基板と、回路基板に実装された人体センサ部に熱線が入射可能であるとともに発光部から放射される光を出射可能な形で回路基板を支持する装置本体とを備え、床面上における人体センサ部の検知エリアが、発光部から放射され且つ放射光量が放射光量の最大値の半分以上となる光が配光される床面上の配光エリアの全体を含むように、人体センサ部のセンサ素子の受光面の中心を通る回路基板の一表面を含む平面の法線と人体センサ部のセンサ素子の受光面の中心と床面上における検知エリアの外周とを結ぶ第１の直線とのなす角度である検知角度が、発光部の光軸と発光部から放射される光の放射光量が放射光量の最大値の半分となる光の放射方向に延長された第２の直線とのなす角度であり発光部の指向特性を表す半値角よりも大きくなるように設定されてなることを特徴とする照明装置。
【請求項２】
前記人体センサ部および前記複数の発光部が前記床面上からの高さが同じになるように配置されるものであって、前記人体センサ部から最も離れた位置に配置された前記発光部の前記光軸に直交する方向における前記人体センサ部の前記センサ素子の受光面の中心と前記光軸との間の距離である中心間距離について、当該中心間距離をＷ、前記人体センサ部の前記床面からの高さをＨ、前記検知角度をα、前記半値角をβとしたときに関係式
Ｗ＜Ｈ×[ｔａｎα−ｔａｎβ]
が成立するように、前記人体センサ部および前記発光部が配置されてなることを特徴とする請求項１記載の照明装置。
【請求項３】
前記人体センサ部の周囲を囲む形で複数の前記発光部が配置されてなることを特徴とする請求項１または請求項２に記載の照明装置。
【発明の詳細な説明】
【技術分野】
【０００１】
本発明は、発光部と人の存否を検知する人体センサ部とを備える照明装置に関するものである。
【背景技術】
【０００２】
従来から、検知エリアに人が存在することを検知すると人体検知信号を出力する人体センサ部と、当該人体センサ部から出力される人体検知信号に基づいてランプ等からなる発光部を点灯させる制御部とを備えた照明装置が提供されている。ここで、前記人体センサ部は、一般的に人体から放射される熱線を検知できる焦電型センサ素子を備えている。
【０００３】
ところで、この類の照明装置では、前記人体センサ部が検知エリアにいる人の人体から発せられる熱線を検知しなくなり前記発光部が消灯するときに、検知エリアに人が存在しないにも関わらず前記発光部から放射される熱線の変化を検知して前記人体検知信号を出力することがある。すると、前記照明装置は、誤って出力される前記人体検知信号に基づいて再度点灯を繰り返すおそれがある。
【０００４】
これに対して、例えば、図１２に示すように、床面（図示せず）から上方に離れた箇所に設置される照明装置であって、長尺の装置本体１１’と、装置本体１１’の長手方向に離間して設けられた一対のソケット１０’，１０’間に装着される直管型蛍光灯からなる発光部３’と、検知エリアに人が存在することを検知すると人体検知信号を出力する人体センサ部６’とを備え、人体センサ部６’が、一対のソケット１０’，１０’の一方のソケット１０’において発光部３’側とは反対側における装置本体１１’の長手方向の一端部（図１２における右端部）にセンサ支持台７’に支持された形で設けられた照明装置が提案されている（特許文献１参照）。なお、装置本体１１’は、木ねじ９’により天井材に取り付けられるものであって、長手方向の中央部に、発光部３’を点灯させるための点灯装置４’が設けられている。また、装置本体１１’には、電源線引き込み孔１１１’が穿設されており、電源線引き込み孔１１１’に挿通された電源線１１２’が装置本体１１’に設けられ点灯装置４’と電源線１１２’とを電気的に接続するための端子台１３’に接続されている。更に、装置本体１１’には、発光部３’を覆う形で透光性カバー５’がねじ１１４’により取り付けられている。
【０００５】
図１２に示す構成の照明装置では、人体センサ部６’がソケット１０’に対して発光部３’側とは反対側における装置本体１１’の長手方向の一端部に配置されていることにより、発光部３’から放射される熱線の影響を受けにくく、人体センサ部６’の前記焦電型センサ素子が、発光部３’が消灯するときに、発光部３’から放射される熱線の変化を検知して誤って前記人体検知信号を出力するのを抑制している。
【０００６】
また、従来から、図１３に示すように、床面（図示せず）から離れた箇所に設置される照明装置であって、有底円筒状に形成され内部に白熱ランプからなる発光部３”を収納するための装置本体１１”と、装置本体１１”の内部において発光部３”の周囲を取り囲む形で配置され発光部３”からの光を装置本体１１”の開口部側に反射する反射板５１”とを備え、装置本体１１”の前記開口部の内周部から前記開口部の内側に突出した突出部６１”を設け、突出部６１”には、人体センサ部６”を装置本体１１”の前記開口部の外方に向けた形で取り付けられた照明装置が提案されている（特許文献２参照）。
【０００７】
図１３に示す構成の照明装置では、人体センサ部６”が装置本体１１”の前記開口部の内周部から内側に突出した突出部６１”に設けられていることにより、人体センサ部６”を外観上、目立たなくすることができる。また、図１３に示す構成の照明装置は、一般的なダウンライトと同じように、天井材（図示せず）に貫設された取付孔（図示せず）の内側に取り付けることができ、当該ダウンライトと同じ施工方法で設置することができる。
【先行技術文献】
【特許文献】
【０００８】
【特許文献１】特開２００５−２３５３９８号公報
【特許文献２】特開２００２−１５７９１６号公報
【発明の概要】
【発明が解決しようとする課題】
【０００９】
しかしながら、図１２および図１３に示す構成の照明装置では、人体センサ部６’，６”が発光部３’，３”の中心から離間した位置に配置されているので、前記床面上において人体センサ部６’，６”の前記検知エリアの中心が、発光部３’，３”から放射される光のうち放射光量が最大放射光量の半分以上である光が配光される配光エリアの中心に対して非対称となる。従って、図１２および図１３に示す構成の照明装置では、発光部３’，３”の前記床面上における前記配光エリアの広さと人体センサ部６’，６”の前記床面上における前記検知エリアの広さが略同じであると、前記配光エリア内に前記検知エリアと重複しない領域が生じ、前記配光エリアに人がいるにも関わらず発光部３’，３”が消灯したり、前記配光エリアに人が入っても発光部３’，３”が点灯しなかったり、前記配光エリアに人が入ってから発光部３’，３”が点灯するまでの時間が長くなってしまうことがあった。つまり、図１２および図１３に示す構成の照明装置では、前記配光エリアに人がいるにも関わらず発光部３’，３”が消灯することがなく且つ前記配光エリアに人が入ってから発光部３’，３”の点灯するまでの時間が大きく遅れることを抑制できる適切な前記検知エリアを確保することが難しかった。
【００１０】
また、図１２および図１３に示す構成の照明装置では、前記配光エリアにおける人体センサ部６’，６”の前記検知エリアと重複しない領域に人がいると、人体センサ部６’，６”が人を検知できず、人が予期しないうちに発光部３’，３”が消灯してしまうことがあった。また、図１２および図１３に示す構成の照明装置では、前記配光エリアが前記検知エリアに比べて広い場合、複数の照明装置を各照明装置の前記配光エリアのみを考慮して設置すると、天井面に互いに隣接する形で取り付けられた２つの照明装置の前記床面への配光エリアの端に人がいても人体センサ部６’，６”が人を検知しないことがあった。
【００１１】
また、図１２および図１３に示す構成の照明装置では、床面上における前記配光エリアの広さと床面上における前記検知エリアの広さとが略同じである場合において、前記配光エリアと前記検知エリアとが略重複するように、前記焦電型センサ素子の受光面の床面に対する傾きを微調整することが考えられるが、前記焦電型センサ素子の前記受光面の床面に対する傾きの微調整は難しく施工性が低下するおそれがあった。
【００１２】
また、図１２に示す構成の照明装置では、発光部３’から人体センサ部６’への熱線の影響を抑制するために、装置本体１１’において、発光部３’から離れた箇所に人体センサ部６’を支持するための構造を有するセンサ支持台７’を設ける必要があり、コスト上昇を招くおそれがあった。
【００１３】
本願発明は、上記事由に鑑みてなされたものであり、その目的は、人体センサ部が発光部から放射される熱線の影響を受けにくく、発光部からの光が配光される配光エリアに対して適切な人体センサ部の検知エリアを確保でき、施工性が良く且つコスト上昇を抑制できる照明装置を提供することにある。
【課題を解決するための手段】
【００１４】
請求項１の発明は、人体から放射される熱線を検知するセンサ素子が熱線の変化を検知すると人体検知信号を出力する人体センサ部と、複数の固体発光素子を有する複数の発光部と、人体センサ部から出力される人体検知信号に基づいて全ての発光部が有する固体発光素子を点灯させる制御部と、人体センサ部および発光部が実装される回路基板と、回路基板に実装された人体センサ部に熱線が入射可能であるとともに発光部から放射される光を出射可能な形で回路基板を支持する装置本体とを備え、床面上における人体センサ部の検知エリアが、発光部から放射され且つ放射光量が放射光量の最大値の半分以上となる光が配光される床面上の配光エリアの全体を含むように、人体センサ部のセンサ素子の受光面の中心を通る回路基板の一表面を含む平面の法線と人体センサ部のセンサ素子の受光面の中心と床面上における検知エリアの外周とを結ぶ第１の直線とのなす角度である検知角度が、人体センサ部から最も離れた位置に配置された発光部の光軸と発光部から放射される光の放射光量が放射光量の最大値の半分となる光の放射方向に延長された第２の直線とのなす角度であり発光部の指向特性を表す半値角よりも大きくなるように設定されてなることを特徴とする。
【００１５】
この発明によれば、床面上における人体センサ部の検知エリアが、発光部から放射され且つ放射光量が放射光量の最大値の半分以上となる光が配光される床面上の配光エリアの全体を含むように、人体センサ部のセンサ素子の受光面の中心を通る回路基板の前記一表面を含む平面の法線と人体センサ部のセンサ素子の受光面の中心と床面上における検知エリアの外周とを結ぶ第１の直線とのなす角度である検知角度が、発光部の光軸と発光部から放射される光の放射光量が放射光量の最大値の半分となる光の放射方向に延長された第２の直線とのなす角度であり発光部の指向特性を表す半値角よりも大きくなるように設定されてなることにより、蛍光灯等に比べて発熱量の少ない固体発光素子により発光部を構成しているので、人体センサ部の人体検知信号の出力が発光部から放射される熱線の影響を受けにくくなるから、人体センサ部が発光部から放射される熱線の変化を検知して誤って人体検出信号を出力することがなくなる。また、検知エリアが配光エリアの全体を含むように、検知角度が半値角よりも大きくなるように設定されてなることにより、床面上における配光エリア内に床面上における人体センサ部の検知エリアと重複しない領域がなく且つ配光エリアに比べて検知エリアが広くなるので、配光エリアに人がいるにも関わらず発光部が消灯することがなく且つ配光エリアに人が入ってから発光部が点灯するまでの時間が長くなってしまうことを抑制できる適切な検知エリアを確保することができる。また、検知エリアが配光エリアの全体を含むように、検知角度が半値角よりも大きくなるように設定されてなることにより、配光エリア内において検知エリアと重複しない領域が生じないように人体センサ部のセンサ素子の受光面の床面に対する傾きを微調整する必要がないので、施工性が良いという利点がある。更に、装置本体は、人体センサ部および発光部が実装された回路基板を支持できる構造を有すればよいので、装置本体に、発光部を保持するための構造と、人体センサ部を保持するための構造とを各別に設ける必要がないから、装置本体の構造を簡素化することができ、コスト上昇を抑制することができる。
【００１６】
請求項２の発明は、請求項１の発明において、前記人体センサ部および前記複数の発光部が前記床面上からの高さが同じになるように配置されるものであって、前記人体センサ部から最も離れた位置に配置された前記発光部の前記光軸に直交する方向における前記人体センサ部の前記センサ素子の受光面の中心と前記光軸との間の距離である中心間距離について、当該中心間距離をＷ、前記人体センサ部の前記床面からの高さをＨ、前記検知角度をα、前記半値角をβとしたときに関係式
Ｗ＜Ｈ×[ｔａｎα−ｔａｎβ]
が成立するように、前記人体センサ部および前記発光部が配置されてなることを特徴とする。
【００１７】
この発明によれば、前記人体センサ部が、前記床面から離れた位置に配置され、前記人体センサ部から最も離れた位置に配置された前記発光部の前記光軸に直交する方向における前記人体センサ部の前記センサ素子の受光面の中心と前記光軸との間の距離である中心間距離について、前記中心間距離と、前記人体センサ部の前記床面からの高さと、前記検知角度と、前記半値角との間に前記関係式が成立するように、前記人体センサ部および前記発光部が配置されてなることにより、前記人体センサ部から最も離れた位置に配置された前記発光部の前記光軸に直交する方向における前記人体センサ部の前記センサ素子の受光面の中心と前記光軸との間の距離である中心間距離の設定が容易になるので、製造を容易にすることができる。また、前記人体センサ部の前記床面上からの高さが、複数の前記発光部の前記床面上からの高さと同じになるように配置されているので、前記人体センサ部の前記床面上からの高さと前記発光部の前記床面上からの高さとが異なる場合に比べて、前記検知エリアおよび前記配光エリアの設計が容易になる。
【００１８】
請求項３の発明は、請求項１または請求項２の発明において、前記人体センサ部の周囲を囲む形で複数の前記発光部が配置されてなることを特徴とする。
【００１９】
この発明によれば、前記人体センサ部の周囲を囲む形で複数の前記発光部が配置されてなることにより、前記人体センサ部の前記センサ素子の受光面の中心を通る前記回路基板の前記一表面を含む平面の前記法線に対して前記配光エリアが略対称となるので、前記発光部が点灯するタイミングを、前記配光エリアへの人の侵入方向に関わらず同じにすることができる。
【発明の効果】
【００２０】
請求項１の発明によれば、蛍光灯等に比べて発熱量の少ない固体発光素子により発光部を構成しているので、人体センサ部の人体検知信号の出力が発光部から放射される熱線の影響を受けにくくなるから、人体センサ部が発光部から放射される熱線の変化を検知して誤って人体検出信号を出力することがなくなる。また、検知エリアが配光エリアの全体を含むように、検知角度が半値角よりも大きくなるように設定されてなることにより、床面上における配光エリア内に床面上における人体センサ部の検知エリアと重複しない領域がなく且つ前記配光エリアに比べて前記検知エリアが広いので、配光エリア内に人がいるにも関わらず発光部が消灯することがなく且つ配光エリアに人が入ってから発光部が点灯するまでの時間が短い適切な検知エリアを確保することができる。また、床面上における配光エリア内に床面上における人体センサ部の検知エリアと重複しない領域がなく且つ前記配光エリアに比べて前記検知エリアが広いので、人体センサ部のセンサ素子の受光面の傾きを微調整する必要がないから、施工性が良いという利点がある。更に、装置本体に、発光部を保持するための構造と、人体センサ部を保持するための構造とを各別に設ける必要がないから、装置本体の構造を簡素化することができ、コストを抑制することができる。
【図面の簡単な説明】
【００２１】
【図１】実施形態１の照明装置を示し、（ａ）は要部下面図、（ｂ）は要部の一部についての側面図である。
【図２】同上の照明装置の天井材に設置された状態における一部破断した側面図である。
【図３】同上の照明装置の反射部材およびカバーを取り外した状態における概略斜視図である。
【図４】同上の照明装置の回路ブロック図である。
【図５】同上の照明装置の動作説明図である。
【図６】同上の照明装置の動作説明図である。
【図７】実施形態２の照明装置を示し、（ａ）は要部概略側面図、（ｂ）は要部概略下面図である。
【図８】同上の照明装置の天井材に設置された状態における一部破断した側面図である。
【図９】同上の照明装置の動作説明図である。
【図１０】実施形態３の照明装置の要部概略下面図である。
【図１１】同上の照明装置の天井材に設置された状態における一部破断した側面図である。
【図１２】従来例の照明装置の分解斜視図である。
【図１３】他の従来例の照明装置の概略斜視図である。
【発明を実施するための形態】
【００２２】
（実施形態１）
本実施形態の照明装置２は、図１乃至図３に示すように、オフィスや住宅等の天井材Ｃに取り付けられる天井埋め込み型ダウンライトであり、複数個の固体発光素子であるＬＥＤ（図示せず）を有する複数（図示例では５つ）の発光部２１３と、人体から放射される熱線を検知するセンサ素子である後述の焦電型センサ素子が熱線の変化を検知すると人体検知信号を出力する人体センサ部２１６と、照明装置２の周囲の明るさを検出するための照度センサ部２１２（図４参照）と、人体センサ部２１６および照度センサ部２１２を駆動させるとともに人体センサ部２１６から出力される前記人体検知信号に基づいて発光部２１３が有する前記複数のＬＥＤを点灯させる制御部２２（図４参照）と、人体センサ部２１６および発光部２１３が一表面に実装される平面視略円形の板状の回路基板２１１とを備える。ここに、複数の発光部２１３は、人体センサ部２１６の周囲に配置されている。また、人体センサ部２１６、照度センサ部２１２、複数の発光部２１３および回路基板２１１よりＬＥＤユニット２１が構成される。
【００２３】
また、本実施形態の照明装置２は、図２および図３に示すように、金属（例えば、Ａｌ、Ｃｕなどの熱伝導率の高い金属）により形成されＬＥＤユニット２１および制御部２２を内部に収納する装置本体１１と、円筒状部材により形成され且つ当該円筒状部材の下端部の外周全体から外方に延出した外鍔部１２ｂを有し装置本体１１に取付ねじ（図示せず）により取り付けられる円筒状の取付枠１２と、装置本体１１の外側における上端側に配設され装置本体１１の内部に収納された制御部２２へ給電するための端子台１３と、取付枠１２の外側に設けられ装置本体１１および取付枠１２を造営材である天井材Ｃに取り付けるための３つの取付ばね１４とを備えている。ここにおいて、天井材Ｃには、平面視円形状の取付孔Ｃ２が貫設されており、取付枠１２が外鍔部１２ｂの上面を天井材Ｃの天井面Ｃ１における取付孔Ｃ２の周部に当接させた形で取付孔Ｃ２の内側に配置されるとともに、複数の取付ばね１４が天井材Ｃにおける取付孔Ｃ２の周部上面に弾接することで、取付枠１２および装置本体１１が、天井材Ｃに固定される。
【００２４】
装置本体１１は、有底円筒状に形成され内部に制御部２２を収納する第１収納部１１ａと、取付枠１２の内側に嵌合する形状に形成され且つ第１収納部１１ａの下端側に固着されるとともにＬＥＤユニット２１が取付ねじ等により取着された金属板からなる支持基板１１ｂとを備え、支持基板１１ｂには、制御部２２からＬＥＤユニット２１の発光部２１３に通電するための電線（図示せず）とＬＥＤユニット２１の人体センサ部２１６から出力される人体検知信号を伝送するための第１の信号線（図示せず）とＬＥＤユニット２１の照度センサ部２１２から出力される出力信号を伝送するための第２の信号線（図示せず）を挿通させるための貫通孔（図示せず）が設けられている。また、装置本体１１には、透光性材料により形成された円板状のカバー１５が、ＬＥＤユニット２１を覆う形で取り付けられている。また、図２に示すように、装置本体１１の内部におけるカバー１５と回路基板２１１との間には、発光部２１３から放射された光を反射するための反射部材１６が各発光部２１３の周囲を取り囲む形で配設されている。しかして、装置本体１１は、回路基板２１１の前記一表面側に実装された人体センサ部２１６に熱線が入射可能であるとともに発光部２１３から放射される光を出射可能な形で回路基板２１１を支持している。
【００２５】
人体センサ部２１６は、図１（ｂ）に示すように、ポリエチレン樹脂により形成され外周面が略半球面状に形成されたレンズ２１６ａを備えており、レンズ２１６ａの内側に人体から放射される熱線を検知するセンサ素子である焦電型センサ素子（図示せず）が配設されている。なお、人体センサ部２１６は、前記焦電型センサ素子として、検知エリア内の人の微小な動きを検知することができるようにするために、センサエレメントを正方形の頂点位置に４個配列した形を有するクワッドタイプの焦電型センサ素子を用いている。ここに、レンズ２１６ａは、フレネルレンズよりなる多数個のレンズ小体２１６ａ２の集合体からなる。人体センサ部２１６は、人体センサ部２１６の検知エリアに人が入ると、人体から放射される熱線を検知して人体検知信号を生成して後述の制御回路部２２１に出力する。
【００２６】
照度センサ部２１２は、フォトダイオードおよびフォトダイオードからの信号を増幅するためのアンプ等が一体に設けられたモジュールであるフォトＩＣダイオード（図示せず）からなり、レンズ２１６ａの内側に配設されている。照度センサ部２１２は、照明装置２の周囲の照度に比例した大きさの出力信号Ｖｓ（図５参照）を生成して制御回路部２２１に出力する。
【００２７】
発光部２１３では、複数の前記ＬＥＤが直列に接続されてなる直列回路を複数有し、当該複数の直列回路が並列に接続されている。前記複数のＬＥＤは、略半球面を有するレンズが一体に形成された平面視円形状のパッケージ２１３ａに収納されている。
【００２８】
ここで、ＬＥＤユニット２１は、図１に示すように、回路基板２１１の前記一表面における略中央部に人体センサ部２１６が配設され、当該人体センサ部２１６の周囲を囲むように５つの発光部２１３が配置されている。また、図１に示す例では、５つの発光部２１３が、人体センサ部２１６の周方向において等間隔であって、各発光部２１３の光軸（例えば、図１（ｂ）のＬ３）に直交する方向における人体センサ部２１６の前記焦電型センサ素子の受光面の中心と前記各光軸との間の距離が同じ所定距離（例えば、２０ｍｍ）となるように配置されている。なお、本実施形態の照明装置では、ＬＥＤユニット２１の構成は、上述の構成に限らず、例えば、回路基板２１１に複数の発光部２１３のパッケージ２１３ａそれぞれを挿入することができる複数の貫通孔（図示せず）を貫設して複数の発光部２１３が回路基板２１１の他表面側から複数の前記貫通孔それぞれに挿入された形で実装されてなるＬＥＤユニット２１を備える構成であってもよく、或いは、回路基板２１１に人体センサ２１６のレンズ２１６ａを挿入することができる貫通孔（図示せず）を貫設して人体センサ２１６が回路基板２１１の前記他表面側から前記貫通孔に挿入された形で実装されてなるＬＥＤユニット２１を備える構成、或いは、回路基板２１１に人体センサ２１６のレンズ２１６ａおよび複数の発光部２１３のパッケージ２１３ａを挿入することができる前記貫通孔を貫設して人体センサ部２１６および複数の発光部２１３のいずれもが回路基板２１１の前記他表面側から前記貫通孔に挿入された形で実装されてなるＬＥＤユニット２１を備える構成であってもよい。
【００２９】
制御部２２は、図４に示すように、人体センサ部２１６および照度センサ部２１２それぞれに前記第１の信号線および前記第２の信号線を介して電気的に接続された制御回路部２２１と、制御回路部２２１に電力を供給するための制御電源部２２４と、発光部２１３に前記電線を介して直流電流を出力する定電流電源部２２５と、交流電源ＡＣから供給される交流電力を整流し且つ平滑化して制御電源部２２４および定電流電源部２２５それぞれに直流電力を供給する整流平滑部２２３と、交流電源ＡＣと整流平滑部２２３との間に介挿され且つ交流電源ＡＣから整流平滑部２２３に過電流が流れるのを防止するための入力保護部２２２とを備える。
【００３０】
制御回路部２２１には、人体センサ部２１６から出力される前記人体検出信号および照度センサ部２１２の出力信号Ｖｓに基づいて後述の消灯制御信号または点灯制御信号を出力するマイクロコンピュータ（以下、センサ制御用マイコンと称す）ＩＣ１を備えている。
【００３１】
制御電源部２２４は、整流平滑部２２３の出力端間に接続された第１のスイッチング素子（図示せず）と数ｋＨｚから数十ｋＨｚの高いスイッチング周波数に対応できる第１の高速ダイオード（図示せず）とからなる直列回路と、前記第１の高速ダイオードの両端間に接続されたインダクタ（図示せず）と平滑用コンデンサ（図示せず）とからなる直列回路と、前記第１のスイッチング素子に接続され前記第１のスイッチング素子のオン・オフ時間を制御するスイッチング電源用ＩＣ（図示せず）とからなる降圧チョッパ回路で構成されている。制御電源部２２４の一部を構成する前記平滑コンデンサの両端間には、制御回路部２２１が接続されており、制御電源部２２４から制御回路部２２１に直流電圧が出力される。
【００３２】
定電流電源部２２５は、整流平滑部２２３の出力端間に接続された第２のスイッチング素子（図示せず）と第２の高速ダイオード（図示せず）とからなる直列回路と、前記第２の高速ダイオードの両端間に接続されたチョークコイルからなるインダクタ（図示せず）と平滑用コンデンサ（図示せず）とからなる直列回路と、前記第２のスイッチング素子に接続され前記第２のスイッチング素子のオン・オフ時間を制御するコントローラを構成するマイクロコンピュータ（以下、コントローラ用マイコンと称す）ＩＣ２とからなる降圧チョッパ回路で構成されている。定電流電源部２２５の一部を構成する前記平滑コンデンサの両端間には、発光部２１３を構成する前記複数のＬＥＤの直列回路が接続されており、定電流電源部２２５から複数のＬＥＤの直列回路に一定の直流電流を出力する。
【００３３】
整流平滑部２２３は、交流電源ＡＣから供給される交流電流を全波整流するダイオードブリッジ（図示せず）と、前記ダイオードブリッジの出力端間に接続され前記ダイオードブリッジから出力される脈流を平滑化するためのアルミ電解コンデンサからなる平滑用コンデンサ（図示せず）とから構成される。
【００３４】
入力保護部２２２は、交流電源ＡＣと整流平滑部２２３との間に介挿され、交流電源ＡＣの出力端間に接続された電流ヒューズ（図示せず）およびフィルムコンデンサ（図示せず）からなる直列回路と、前記フィルムコンデンサの両端間に接続されたコンデンサ（図示せず）を含む雑音防止フィルタ回路（図示せず）とから構成される。
【００３５】
次に、本実施形態の照明装置２の動作について図５に基づいて説明する。
【００３６】
人体センサ部２１６の前記検知エリアに人が入ると、人体センサ部２１６が前記検知エリアにおける人の人体から放射される熱線を検知して、制御回路部２２１のセンサ制御用マイコンＩＣ１に前記人体検知信号を出力する。制御回路部２２１のセンサ制御用マイコンＩＣ１は、人体センサ部２１６から出力される前記人体検知信号を受信する。また、センサ制御用マイコンＩＣ１は、照度センサ部２１２からの出力信号Ｖｓを継続的に受信しており、照度センサ部２１２からの出力信号Ｖｓの大きさと予め設定されている点灯開始照度設定値（例えば、５０ルクス）とを比較して、照度センサ部２１２からの出力信号Ｖｓの大きさが前記点灯開始照度設定値よりも大きければ（図５のａ点およびｂ点）、定電流電源部２２５に含まれるコントローラ用マイコンＩＣ２に発光部２１３を消灯させるように指示するための消灯制御信号（Ｈｉ出力信号）を出力する。コントローラ用マイコンＩＣ２は、センサ制御用マイコンＩＣ１から出力された前記消灯制御信号を受信すると、定電流電源部２２５から発光部２１３への電流供給を遮断するように定電流電源部２２５を制御して、発光部２１３が有する前記複数のＬＥＤを点灯しないようにする。ここに、定電流電源部では、定電流電源部２２５に含まれる発振回路（図示せず）が発振を停止する。
【００３７】
一方、センサ制御用マイコンＩＣ１は、人体センサ部２１６から出力される前記人体検知信号を受信したときに、照度センサ部２１２からの出力信号Ｖｓの大きさが前記点灯開始照度設定値よりも小さければ（図５のｃ点）、コントローラ用マイコンＩＣ２に発光部２１３を点灯させるように指示するための点灯制御信号を出力する。コントローラ用マイコンＩＣ２は、センサ制御用マイコンＩＣ１から出力された前記点灯制御信号を受信すると、定電流電源部２２５から発光部２１３への通電を開始するように定電流電源部２２５を制御して、発光部２１３が有する前記複数のＬＥＤを点灯させる。
【００３８】
その後、人体センサ部２１６が前記検知エリアにいる人の人体から放射される熱線を検知しなくなると、人体センサ部２１６から制御回路部２２１に前記人体検知信号が出力されなくなる。ここで、センサ制御用マイコンＩＣ１は、前記人体検知信号が制御回路部２２１に入力されなくなってから所定の点灯保持時間Ｔ１（例えば、１分）の経過後（図５のｄ点）、コントローラ用マイコンＩＣ２に前記消灯制御信号を出力する。コントローラ用マイコンＩＣ２は、センサ制御用マイコンＩＣ１から出力された前記消灯制御信号を受信すると、定電流電源部２２５から発光部２１３への電流供給を遮断するように定電流電源部２２５を制御して発光部２１３が有する前記複数のＬＥＤを消灯させる。
【００３９】
また、本実施形態の照明装置２では、図２に示すように、５つの発光部２１３それぞれが人体センサ部２１６から離間して配置され、床面Ｆ１上における人体センサ部２１６の検知エリアＤ（図６参照）が、発光部２１３から放射された光の放射光量が発光部２１３から放射された放射光量の最大値の半分以上となる光が配光される床面Ｆ１上の配光エリアＳ（図６参照）の全体を含むように、人体センサ部２１６が有する前記焦電型センサ素子の受光面の中心を通る回路基板２１１の前記一表面を含む平面の法線Ｌ１と人体センサ部２１６が有する前記焦電型センサ素子の前記受光面の中心と床面Ｆ１上における人体センサ部２１６の検知エリアＤの外周とを結ぶ第１の直線Ｌ２とのなす角度である検知角度αが、発光部２１３の光軸Ｌ３と発光部２１３から放射され且つ放射光量が最大放射光量の半分となる光の放射方向に延長された第２の直線Ｌ４とのなす角度である発光部２１３の指向特性を表す半値角βよりも大きくなるように設定されている。また、本実施形態の照明装置２は、発光部２１３の周囲に反射部材１６が設けられるとともに発光部２１３の下側にカバー１５が設けられているので、前記半値角βは、発光部２１３から放射される光の反射部材１６による反射およびカバー１５を透過する際の屈折の影響を考慮した角度となる。一方、検知角度αは、人体センサ部２１６の下側に設けられているカバー１５の影響をほとんど受けない。なお、図２に示す構成の照明装置２は、反射部材１６およびカバー１５を備えているが、これらは必ずしも設ける必要はなく、適宜設ければよい。
【００４０】
ところで、法線Ｌ１と床面Ｆ１との交点Ｐ１から人体センサ部２１６の床面Ｆ１上における検知エリアＤの外周部までの距離は、当該距離をＷ１、人体センサ部２１６の床面Ｆ１からの高さ、発光部２１３の床面Ｆ１からの高さおよび天井面Ｃ１の床面Ｆ１からの高さが略同じとして、当該高さをＨとすると、法線Ｌ１と第１の直線Ｌ２とのなす角度である検知角度αとの間で、下記（１）式で表される関係が成立する。
Ｗ１＝ｔａｎα×Ｈ      （１）式
また、法線Ｌ１と床面Ｆ１との交点Ｐ１から床面Ｆ１上における発光部２１３の配光エリアＳの外周部までの距離Ｗ２は、当該距離をＷ２、発光部２１３の床面Ｆ１からの高さをＨ、および発光部２１３の光軸に直交する方向における人体センサ部２１６の前記焦電型センサ素子の受光面の中心と前記光軸との間の距離（以下、中心間距離と称す）をＷとすると、発光部２１３の光軸Ｌ３と第２の直線Ｌ４とのなす角度である半値角βとの間で、下記（２）式で表される関係が成立する。下記（２）式において、Ｗ３＝ｔａｎβ×Ｈは、発光部２１３の光軸Ｌ３と床面Ｆ１との交点Ｐ３から発光部２１３の配光エリアＳの外周部までの距離に相当する。
Ｗ２＝ｔａｎβ×Ｈ＋Ｗ
＝Ｗ３＋Ｗ              （２）式
ここで、床面Ｆ１上における検知エリアＤを配光エリアＳよりも広くするためには、法線Ｌ１と床面Ｆ１との交点Ｐ１から人体センサ部２１６の床面Ｆ１上における検知エリアＤの外周部までの距離Ｗ１が、発光部２１３の光軸Ｌ３と床面Ｆ１との交点Ｐ３から発光部２１３の配光エリアＳの外周部までの距離Ｗ２よりも大きくなるようにすればよい。従って、床面Ｆ１上における検知エリアＤを配光エリアＳよりも広くするためには、発光部２１３と人体センサ部２１６との中心間距離Ｗについて、下記（３）式の関係が成立すればよい。
Ｗ＜Ｈ×[ｔａｎα−ｔａｎβ]      （３）式
ここで、本実施形態の照明装置２が天井材Ｃに設けられた取付孔Ｃ２に取り付けられた例を図２に示す。図２に示した照明装置２は、外鍔部１２ｂの外径φが約１１０ｍｍとなるように形成された取付枠１２に装置本体１１が固定された形で取付孔Ｃ２に取り付けられており、発光部２１３と人体センサ部２１６との中心間距離Ｗが２０ｍｍ、人体センサ部２１６の床面Ｆ１からの高さが床面Ｆ１から天井面Ｃ１までの高さＨ（図示例では、２．２ｍ）と略同じ高さに設定されている。つまり、人体センサ部２１６および複数の発光部２１３は、床面Ｆ１からの高さが同じになるように配置されている。また、検知角度αが４５．５度、半値角βが４５度に設定されている。従って、法線Ｌ１と床面Ｆ１との交点Ｐ１から床面Ｆ１上における人体センサ部２１６の検知エリアＤの外周部までの距離Ｗ１が２．２４ｍ、また、発光部２１３の光軸Ｌ３と床面Ｆ１との交点Ｐ３から床面Ｆ１上における発光部２１３の配光エリアＳの外周部までの距離Ｗ３が２．２ｍであるから、法線Ｌ１と床面Ｆ１との交点Ｐ１から発光部２１３の配光エリアＳの外周部までの距離Ｗ２が２．２２ｍとなる。
【００４１】
しかして、図６に示すように、配光エリアＳ内に人体センサ部２１６の検知エリアＤと重複しない領域がなく且つ配光エリアＳに比べて検知エリアＤが広くなるので、配光エリアＳに人がいるときに発光部２１３が消灯することがなく、また、配光エリアＳへ人が入ってから発光部２１３が点灯するまでの時間が短くすることができる。なお、図６におけるハッチングで示した部分は、人体センサ部２１６の前記焦電型センサ素子による検出ゾーンを表す。ここに、検出ゾーンは、人体センサ部２１６のレンズ２１６ａを構成するレンズ小体２１６ａ２それぞれにより床面Ｆ１上に形成される前記焦電型センサ素子の受光面の像に相当する。ここで、実施形態１における検知エリアＤは、床面Ｆ１上における焦電型センサ素子の複数の前記検出ゾーンのうち前記交点Ｐ１から最も離れた位置にある前記検出ゾーン内における前記交点Ｐ１から最も離れた点と前記交点Ｐ１とを結ぶ線を前記交点Ｐ１周りに回転させて得られる円の内側の領域に相当する。
【００４２】
また、配光エリアＳにおいて検知エリアＤと重複しない領域が生じないように、人体センサ部２１６の前記焦電型センサ素子の前記受光面の床面Ｆ１に対する傾きを微調整する必要がないので、施工性が良いという利点がある。
【００４３】
更に、装置本体１１は、人体センサ部２１６および発光部２１３が実装された回路基板２１１を支持できる構造を有すればよいので、装置本体１１に、人体センサ部２１６を保持するための複雑な構造を設ける必要がないから、装置本体１１の構造を簡素化することができ、コスト上昇を抑制することができる。
【００４４】
また、本実施形態では、発光部２１３が蛍光灯等に比べて発熱量の少ないＬＥＤで構成されていることにより、発光部２１３が人体センサ部２１６に近接して配置されていながらも、人体センサ部２１６の前記人体検知信号の出力が、発光部２１３から放射される熱線の影響を受けることがなく、人体センサ部２１６の誤動作を低減できる。
【００４５】
また、本実施形態の照明装置２では、検知角度αと、半値角βと、床面Ｆ１から人体センサ部２１６までの距離Ｈと、発光部２１３と人体センサ部２１６との中心間距離Ｗとの間に、（３）式で表される関係にあることにより、発光部２１３と人体センサ部２１６との中心間距離Ｗの設定が容易になるので、製造を容易にすることができる。
【００４６】
また、本実施形態の照明装置２では、５つの発光部２１３が互いに等間隔となるように配置されていることにより、配光エリアＳが法線Ｌ１に対して略対称となるので、発光部２１３が点灯するタイミングを、配光エリアＳへの人の侵入方向に関わらず同じにすることができる。
【００４７】
また、本実施形態では、人体センサ部２１６および発光部２１３が、一枚の回路基板２１１の同一表面である前記一表面上に実装されているので、床面Ｆ１から人体センサ部２１６までの高さと床面Ｆ１から発光部２１３までの高さとが異なる場合に比べて、検知エリアＤおよび配光エリアＳの設計が容易になるという利点がある。
【００４８】
また、本実施形態では、図１（ｂ）に示すように、人体センサ部２１６の一部を構成するレンズ２１６ａの側面が、第２の直線Ｌ４と交差しないような形状および大きさに形成されており、発光部２１３から配光エリアＳに向かって放射される光をレンズ２１６ａが遮らない。従って、発光部２１３の床面Ｆ１上における配光エリアＳに照度ムラが生じるのを抑制することができる。
【００４９】
なお、本実施形態における発光部２１３と人体センサ部２１６との中心間距離Ｗは、上述の例では、２０ｍｍに設定されているが、中心間距離Ｗは、上限である３８．７ｍｍ以下であれば、検知角度α、半値角β、および人体センサ部２１６の床面Ｆ１からの高さ、発光部２１３の床面Ｆ１からの高さおよび天井面Ｃ１の床面Ｆ１からの高さが略同じとして、当該高さをＨとしたときに、前記（３）式の関係が成立するように適宜設定することができる。
【００５０】
（実施形態２）
本実施形態の照明装置２は、図７に示すように、オフィスや住宅等の天井材Ｃの天井面Ｃ１に木ねじ（図示せず）などの取付ねじにより取り付けられる照明装置２であり、複数（図示例では、６つ）の発光部２１３、人体センサ部２１６および照度センサ部（図示せず）を備えた長尺の第１のＬＥＤユニット２１Ａと、複数の発光部２１３を備え第１のＬＥＤユニット２１Ａの長手方向の両側それぞれに当該長手方向に沿って同じ数だけ複数（図示例では、３つ）配置された第２のＬＥＤユニット２１Ｂと、実施形態１と同様の回路構成を有する制御部（図示せず）とを備える。ここに、前記制御部は、第１のＬＥＤユニット２１Ａの人体センサ部２１６および前記照度センサ部を駆動させるとともに人体センサ部２１６から出力される前記人体検知信号および前記照度センサ部から出力される出力信号に基づいて第１のＬＥＤユニット２１Ａおよび第２のＬＥＤユニット２１Ｂの発光部２１３が有する前記複数のＬＥＤを点灯させる。また、図８に示すように、第１のＬＥＤユニット２１Ａおよび第２のＬＥＤユニット２１Ｂは、下面に開口窓を有する長尺の矩形箱状の装置本体１１１Ａ内に収納されている。
【００５１】
第１のＬＥＤユニット２１Ａは、長尺の矩形板状に形成された回路基板２１１Ａと、回路基板２１１Ａの一表面において長手方向における略中央部に配設された人体センサ部２１６と、回路基板２１１Ａの前記一表面において長手方向における人体センサ部２１６の両側それぞれに前記長手方向に沿って同じ数だけ複数（図示例では３つ）配置された発光部２１３とを備える。
【００５２】
人体センサ部２１６は、前記焦電型センサ素子と、ポリエチレン樹脂により形成され且つ前記焦電型センサ素子を覆う形で配設された平面視矩形状のレンズ２１６ｃとを備えている。なお、人体センサ部２１６は、レンズ２１６ｃを透過してきた熱線を反射する内部ミラー構造を有する。また、前記照度センサ部は、レンズ２１６ｃの内側に配設されている。
【００５３】
第２のＬＥＤユニット２１Ｂは、長尺の矩形板状に形成された回路基板２１１Ａと、回路基板２１１Ａの前記一表面において長手方向に沿って配設された複数（図示例では、７つ）の発光部２１３とを備える。
【００５４】
ところで、本実施形態の照明装置２では、図８に示すように、床面Ｆ１上における人体センサ部２１６の検知エリアＤ（図９参照）が、複数の発光部２１３から放射される光の放射光量が複数の発光部２１３のうち人体センサ部２１６から最も離れた位置に配置された１つの発光部２１３から放射される光の放射光量の最大値の半分以上となる光が配光される床面Ｆ１上における配光エリアＳの全体を含むように、人体センサ部２１６が有する前記焦電型センサ素子の前記受光面の中心を通る回路基板２１１Ａの前記一表面を含む平面の法線である法線Ｌ１と人体センサ部２１６の前記焦電型センサ素子の前記受光面の中心と検知エリアＤの外周とを結ぶ第１の直線Ｌ２とのなす角度である検知角度αが、人体センサ部２１６から最も離れた位置に配置された発光部２１３の光軸Ｌ３と、当該発光部２１３から放射され且つ放射光量が放射光量の最大値の半分となる光の放射方向に延長された第２の直線Ｌ４とのなす角度である半値角βよりも大きくなるように形成されている。
【００５５】
本実施形態の照明装置２は、下面が開放した細長の直方体状の装置本体１１１Ａを備えており、天井材Ｃに設けられた取付孔Ｃ２に取付ばね（図示せず）によって取り付けられ、人体センサ部２１６が床面Ｆ１から天井面Ｃ１までの高さＨと略同じ高さに配置される。ここで、天井面Ｃ１に直交し且つ人体センサ部２１６の前記焦電型センサ素子の前記受光面の中心を通る法線Ｌ１と床面Ｆ１との交点Ｐ１から人体センサ部２１６の検知エリアＤの外周部までの距離Ｗ１、および法線Ｌ１と床面Ｆ１との交点Ｐ１から発光部２１３の配光エリアＳの外周部までの距離Ｗ２は、実施形態１で説明した前記（１）式および前記（２）式から求めることができる。
【００５６】
図７および図８に示した照明装置２では、装置本体１１１Ａの長手方向の長さＷａが、１２４５ｍｍに設定されている。また、照明装置２は、天井面Ｃ１の床面Ｆ１からの高さＨが２．２ｍの天井材Ｃに取り付けられる。
【００５７】
また、回路基板２１１Ａ，２１１Ｂそれぞれが、長手方向の長さＷｂが１７０ｍｍとなるように形成され、隣接する回路基板２１１Ｂ同士の間隔Ｗｃ、および回路基板２１１Ａと回路基板２１１Ｂとの間の間隔が１０ｍｍとなるように配置されている。また、各回路基板２１１Ａ，２１１Ｂにおいて、複数の発光部２１３が、回路基板２１１Ａの長手方向の両端と発光部２１３との間に生じる隙間Ｗｄが５ｍｍとなるように配設されている。
【００５８】
ここで、複数の第２のＬＥＤユニット２１Ｂのうち第１のＬＥＤユニット２１Ａから最も離れた位置に配置される第２のＬＥＤユニット２１Ｂでは、複数の発光部２１３のうち最も人体センサ部２１６から離れた位置に配置された発光部２１３の光軸に直交する方向における人体センサ部２１６の前記焦電型センサ素子の前記受光面の中心と前記光軸との間の距離（以下、中心間距離と称す）Ｗが、６１０ｍｍとなるように設定されている。また、図７および図８に示した例では、検知角度αが６５度、半値角βが５５度に設定されている。
【００５９】
従って、図８に示す照明装置２では、発光部２１３と人体センサ部２１６との中心間距離Ｗが６１０ｍｍであり、検知角度αが６５度、半値角βが５５度、天井面Ｃ１の床面Ｆ１からの高さＨが２．２ｍであるから、法線Ｌ１と床面Ｆ１との交点Ｐ１から床面Ｆ１上における人体センサ部２１６の検知エリアＤの外周部までの距離Ｗ１が４．７２ｍ、また、発光部２１３の光軸Ｌ３と床面Ｆ１との交点Ｐ３から床面Ｆ１上における発光部２１３の配光エリアＳの外周部までの距離Ｗ３が３．１４ｍとなるから、法線Ｌ１と床面Ｆ１との交点Ｐ１から床面Ｆ１上における発光部２１３の配光エリアＳの外周部までの距離Ｗ２が３．７５ｍとなる。
【００６０】
しかして、図９に示すように、配光エリアＳ内に人体センサ部２１６の検知エリアＤと重複しない領域がなく且つ配光エリアＳに比べて検知エリアＤが広くなるので、配光エリアＳに人がいるにも関わらず発光部２１３が消灯することがなく且つ配光エリアＳに人が入ってから発光部２１３が点灯するまでの時間が短い適切な検知エリアＤを確保することができる。なお、図９におけるハッチングで示した矩形状の部分は、人体センサ部２１６の前記焦電型センサ素子による検出ゾーンを表す。ここで、実施形態２における検知エリアＤは、床面Ｆ１上に形成される複数の前記検出ゾーンから構成される集合体における、複数の前記検出ゾーンと、互いに隣接する前記検出ゾーンの間の領域とを合わせた領域に相当する。
【００６１】
また、本実施形態では、図７（ｂ）に示すように、人体センサ部２１６の一部を構成するレンズ２１６ｃが、第２の直線Ｌ４と交差しないような形状および大きさに形成されており、人体センサ部２１６に隣接する発光部２１３から当該発光部２１３の配光エリアＳに向かって放射される光を遮らない。従って、床面Ｆ１上における配光エリアＳに照度ムラが生じるのを抑制することができる。
【００６２】
なお、本実施形態における発光部２１３と人体センサ部２１６との中心間距離Ｗは、上述の例では、６１０ｍｍに設定されているが、中心間距離Ｗは、上限である１５７５ｍｍ以下であれば、検知角度α、半値角β、および人体センサ部２１６の床面Ｆ１からの高さ、発光部２１３の床面Ｆ１からの高さおよび天井面Ｃ１の床面Ｆ１からの高さが略同じとして、当該高さをＨとしたときに、前記（３）式の関係が成立するように適宜設定することができる。
【００６３】
また、実施形態２で説明した照明装置２では、発光部２１３のみを備えた第２のＬＥＤユニット２１Ｂを複数備える例について説明したが、これに限定されるものではなく、例えば、人体センサ部２１６と複数の発光部２１３とを備える１つのＬＥＤユニット（図示せず）を配置するものであってもよい。
【００６４】
（実施形態３）
本実施形態の照明装置２は、図１０および図１１に示すように、オフィスや住宅等の天井材Ｃの天井面Ｃ１に木ねじ（図示せず）などの取付ねじにより取り付けられる照明装置２であり、複数（図示例では、８つ）の発光部２１３および１つの人体センサ部２１６を備えた平面視正方形状の第１のＬＥＤユニット２１Ａと、複数（図示例では、９つ）の発光部２１３を備え第１のＬＥＤユニット２１Ａの周囲を囲む形で配置された平面視正方形状の８つの第２のＬＥＤユニット２１Ｂと、平面視正方形状に形成され下面に開口部を有し且つ第１のＬＥＤユニット２１Ａおよび第２のＬＥＤユニット２１Ｂが内部に収納される装置本体１１１Ｂと、装置本体１１１Ｂの下面の開口部を覆う形で装置本体１１１Ｂに取り付けられる透光性材料からなる矩形板状のカバー（図示せず）と、実施形態１と同様の回路構成を有する制御部（図示せず）とを備える。ここに、前記制御部は、第１のＬＥＤユニット２１Ａの人体センサ部２１６および照度センサ部（図示せず）を駆動させるとともに人体センサ部２１６から出力される前記人体検知信号および前記照度センサ部から出力される出力信号に基づいて第１のＬＥＤユニット２１Ａおよび第２のＬＥＤユニット２１Ｂの発光部２１３が有する前記複数のＬＥＤを点灯させる。なお、装置本体１１１Ｂの内部における前記カバーと、第１のＬＥＤユニット２１Ａの一部を構成する後述の回路基板２１１Ａおよび第２のＬＥＤユニット２１Ｂの一部を構成する回路基板２１１Ｂとの間には、発光部２１３それぞれの周囲を取り囲む形で配設され発光部２１３それぞれから放射された光を反射する複数の反射部材１６（図１１参照）が配設されている。また、本実施形態の照明装置２の装置本体１１１Ｂは、図１１に示すように、一辺の長さＷｅの平面視正方形状に形成され前記制御部を収納する第１収納室１１１Ｂ１と、一辺の長さが第１収納室１１１Ｂ１の一辺の長さよりも長い平面視正方形状に形成され且つ第１収納室１１１Ｂ１の下側に第１収納室１１１Ｂ１と連続一体に設けられ第１のＬＥＤユニット２１Ａおよび第２のＬＥＤユニット２１Ｂを収納する第２収納室１１１Ｂ２とから構成されている。
【００６５】
第１のＬＥＤユニット２１Ａは、平面視正方形の板状に形成された回路基板２１１Ａと、回路基板２１１Ａの一表面における略中央部に配設された人体センサ部２１６と、回路基板２１１Ａの前記一表面における人体センサ部２１６の周囲に配置された複数（図示例では、８つ）の発光部２１３とを備える。
【００６６】
人体センサ部２１６は、実施形態１で説明した人体センサ部２１６と同様に、前記焦電型センサ素子（図示せず）と、平面視円形に形成され且つ前記焦電型センサ素子を覆う形で配設されたレンズ２１６ａとを備えている。
【００６７】
第２のＬＥＤユニット２１Ｂは、平面視正方形の板状に形成された回路基板２１１Ｂと、回路基板２１１Ｂの一表面に等間隔に配設された複数（図示例では、９つ）の発光部２１３とを備える。
【００６８】
ところで、本実施形態の照明装置２では、図１１に示すように、床面Ｆ１上における人体センサ部２１６の検知エリアＤが、複数の発光部２１３から放射される光の放射光量が複数の発光部２１３のうち人体センサ部２１６から最も離れた位置に配置された１つの発光部２１３から放射される光の放射光量の最大値の半分以上となる光が配光される床面Ｆ１上における配光エリアＳの全体を含むように、人体センサ部２１６が有する前記焦電型センサ素子の受光面の中心を通る回路基板２１１Ａの一表面を含む平面の法線である法線Ｌ１と人体センサ部２１６の前記焦電型センサ素子の受光面の中心と検知エリアＤの外周とを結ぶ第１の直線Ｌ２とのなす角度である検知角度αが、人体センサ部２１６から最も離れた位置に配置された発光部２１３の光軸Ｌ３と、当該発光部２１３から放射され且つ放射光量が放射光量の最大値の半分となる光の放射方向に延長された第２の直線Ｌ４とのなす角度である半値角βよりも大きくなるように形成されている。また、本実施形態の照明装置２は、発光部２１３の周囲に反射部材１６が設けられるとともに発光部２１３の下側に前記カバーが設けられているので、半値角βは、発光部２１３から放射される光の反射部材１６による反射および前記カバーを透過する際の屈折の影響を考慮した角度となる。なお、図１１に示す構成の照明装置２では、反射部材１６および前記カバーが設けられているが必須ではない。
【００６９】
本実施形態の照明装置２は、平面視正方形状の装置本体１１１Ｂを備えており、天井材Ｃの天井面Ｃ１に取り付けられ、人体センサ部２１６が床面Ｆ１から天井面Ｃ１までの高さＨと略同じ高さに配置される。ここで、天井面Ｃ１に直交し且つ人体センサ部２１６の前記焦電型センサ素子の前記受光面の中心を通る法線Ｌ１と床面Ｆ１との交点Ｐ１から人体センサ部２１６により床面Ｆ１上に形成される検知エリアＤの外周部までの距離、および法線Ｌ１と床面Ｆ１との交点Ｐ１から発光部２１３により前記床面上に形成される配光エリアＳの外周部までの距離は、実施形態１で説明した前記（１）式および前記（２）式から求めることができる。
【００７０】
図１１に示した照明装置２では、装置本体１１１Ｂの第1収納室１１１Ｂ１の一辺の長さＷｅが、５００ｍｍに設定されている。また、照明装置２は、天井面Ｃ１の床面Ｆ１からの高さＨが２．２ｍの天井材Ｃに取り付けられる。なお、図１１に示した照明装置２では、天井面Ｃ１と照明装置２の下面との間の距離Ｗｆが０．１ｍとなるように設定されている。
【００７１】
なお、図１０に示した例では、回路基板２１１Ａ，２１１Ｂの一辺の長さが、１００ｍｍに設定されている。ここで、８つの第２のＬＥＤユニット２１Ｂのうち平面視正方形状の第１のＬＥＤユニット２１Ａの対角方向に配置された第２のＬＥＤユニット２１Ｂでは、複数の発光部２１３のうち人体センサ部２１６から最も離れた位置に配置された発光部２１３の光軸に直交する方向における人体センサ部２１６の前記焦電型センサ素子の受光面の中心と前記光軸との間の距離（以下、中心間距離と称す）Ｗが、２５０ｍｍとなるように設定されている。また、検知角度αが４５．５度、半値角βが４０度に設定されている。
【００７２】
図１１に示す本実施形態の照明装置２では、発光部２１３と人体センサ部２１６との中心間距離Ｗが２５０ｍｍであり、検知角度αが４５．５度、半値角βが４０度、天井面Ｃ１の床面Ｆ１からの高さＨが２．２ｍであるから、法線Ｌ１と床面Ｆ１との交点Ｐ１から人体センサ部２１６の検知エリアＤの外周部までの距離Ｗ１が２．２４ｍ、また、発光部２１３の光軸Ｌ３と床面Ｆ１との交点Ｐ３から前記人体センサ部２１６から最も離れた位置に配置された発光部２１３の配光エリアＳの外周部までの距離が１．８５ｍとなるから、法線Ｌ１と床面Ｆ１との交点Ｐ１から前記人体センサ部２１６から最も離れた位置に配置された発光部２１３の配光エリアＳの外周部までの距離Ｗ２が２．１０ｍとなる。
【００７３】
しかして、前記人体センサ部２１６から最も離れた位置に配置された発光部２１３の配光エリアＳ内に人体センサ部２１６の検知エリアＤと重複しない領域がなく、且つ配光エリアＳに比べて検知エリアＤが広くなるので、配光エリアＳに人がいるにも関わらず発光部２１３が消灯することがなく且つ配光エリアＳに人が入ってから発光部２１３が点灯するまでの時間が短い適切な検知エリアＤを確保することができる。
【００７４】
なお、本実施形態における発光部２１３と人体センサ部２１６との中心間距離Ｗは、上述の例では、２５０ｍｍに設定されているが、中心間距離Ｗは、上限である３９０ｍｍ以下であれば、検知角度α、半値角β、および人体センサ部２１６の床面Ｆ１からの高さ、発光部２１３の床面Ｆ１からの高さおよび天井面Ｃ１の床面Ｆ１からの高さが略同じとして、当該高さをＨとしたときに、前記（３）式の関係が成立するように適宜設定することができる。
【００７５】
また、実施形態３で説明した照明装置２では、発光部２１３のみを備えた第２のＬＥＤユニット２１Ｂを複数備える例について説明したが、これに限定されるものではなく、例えば、人体センサ部２１６と複数の発光部２１３とが配置されてなる１つのＬＥＤユニット（図示せず）を用いるものであってもよい。
【００７６】
また、前述の各実施形態では、発光部２１３がＬＥＤからなる固体発光素子を備える例について説明したが、これに限定されるものではなく、例えば、有機ＥＬ素子等からなる固体発光素子を備えるものであってもよい。
【符号の説明】
【００７７】
２  照明装置
１１，１１１Ａ，１１１Ｂ  装置本体
２２  制御部
２１１，２１１Ａ，２１１Ｂ  回路基板
２１３  発光部
２１６  人体センサ部
α  検知角度
β  半値角
Ｄ  検知エリア
Ｓ  配光エリア
Ｆ１  床面
Ｌ１  法線
Ｌ２  第１の直線
Ｌ３  光軸
Ｌ４  第２の直線
【図１】
2011009082.tif 000003
【図２】
2011009082.tif 000004
【図３】
2011009082.tif 000005
【図４】
2011009082.tif 000006
【図５】
2011009082.tif 000007
【図６】
2011009082.tif 000008
【図７】
2011009082.tif 000009
【図８】
2011009082.tif 000010
【図９】
2011009082.tif 000011
【図１０】
2011009082.tif 000012
【図１１】
2011009082.tif 000013
【図１２】
2011009082.tif 000014
【図１３】
2011009082.tif 000015